(57)【要約】【課題】  低いクロック周波数で消費電力の増大を防止したり、より大きな画像サイズや動画像処理の増大にも対応する。【解決手段】  画像入力手段１と、画像表示手段２と、記憶手段３と、通信手段４と、システム制御手段５とがシステムバスライン６を介して接続され、画像入力手段１から入力された非圧縮画像データは、画像入力手段１に内蔵または隣接して設けられた画像圧縮手段１ａで圧縮されてから、システムバスライン６を経由して記憶手段３に転送される。また、記憶手段３に蓄積された圧縮画像データは、システムバスライン６を経由して画像解凍手段２ａに転送されて、画像解凍手段２ａによりデータ解凍されて画像表示手段２により表示再生される。【選択図】  図１
2005150985.tif 000002
【特許請求の範囲】
【請求項１】
画像データが入力される画像入力手段と、該画像データを記憶可能とする記憶手段と、これらの各手段を制御する制御手段とがデータ転送用バスラインを介して接続され、該画像データをデータ圧縮処理する画像圧縮手段が該画像入力手段に内蔵されているか、または該画像入力手段に隣接して設けられ、
該制御手段は、該画像入力手段から入力された非圧縮画像データを、該画像圧縮手段によりデータ圧縮させ、データ圧縮した圧縮画像データを、該データ転送用バスラインを経由して該記憶手段に転送して記憶させるように制御可能とする画像情報処理システム。
【請求項２】
画像データを記憶可能とする記憶手段と、該画像データを表示可能とする画像表示手段と、これらの各手段を制御する制御手段とがデータ転送用バスラインを介して接続され、圧縮画像データをデータ解凍処理する画像解凍手段が該画像表示手段に内蔵されているか、または該画像表示手段に隣接して設けられ、
該制御手段は、該記憶手段に記憶した圧縮画像データを、該データ転送用バスラインを経由して該画像解凍手段に転送して、該画像解凍手段によりデータ解凍させて該画像表示手段により表示再生させるように制御可能とする画像情報処理システム。
【請求項３】
画像データが入力される画像入力手段と、該画像データを記憶可能とする記憶手段と、該画像データを表示可能とする画像表示手段と、これらの各手段を制御する制御手段とがデータ転送用バスラインを介して接続され、該画像データをデータ圧縮処理する画像圧縮手段が該画像入力手段に内蔵されているか、または該画像入力手段に隣接して設けられ、圧縮画像データをデータ解凍処理する画像解凍手段が該画像表示手段に内蔵されているか、または該画像表示手段に隣接して設けられ、
該制御手段は、該画像入力手段から入力された非圧縮画像データを、該画像圧縮手段によりデータ圧縮させ、データ圧縮した圧縮画像データを、該データ転送用バスラインを経由して該記憶手段に転送して記憶させるように制御可能とし、
該記憶手段に記憶した圧縮画像データを、該データ転送用バスラインを経由して該画像解凍手段に転送して、該画像解凍手段によりデータ解凍させて該画像表示手段により表示再生させるように制御可能とする画像情報処理システム。
【請求項４】
前記画像圧縮手段は、データ転送速度に応じた圧縮率に設定されている請求項１または３に記載の画像情報処理システム。
【請求項５】
画像データが入力される画像入力手段および、該画像データを表示可能とする画像表示手段を有する画像入力表示装置と、該画像データを記憶可能とする記憶手段と、これらの各手段を制御する制御手段とがデータ転送用バスラインを介して接続され、画像データ圧縮機能と画像データ解凍機能とを有する画像圧縮・解凍手段が該画像入力表示装置に内蔵されているか、または該画像入力表示装置に隣接して設けられ、
該制御手段は、該画像入力手段から入力された非圧縮画像データを、該画像圧縮・解凍手段によりデータ圧縮し、データ圧縮した圧縮画像データを、該データ転送用バスラインを経由して該記憶手段に転送して記憶させるように制御可能とし、
該記憶手段に記憶した圧縮画像データを、該データ転送用バスラインを経由して該画像圧縮・解凍手段に転送して、該画像圧縮・解凍手段によりデータ解凍されて該画像表示手段により表示再生させるように制御可能とする画像情報処理システム。
【請求項６】
画像データが入力される画像入力手段および、該画像データを表示可能とする画像表示手段を有する画像入力表示装置に内蔵されるか、または該画像入力表示装置に隣接するように、画像データ圧縮機能と画像データ解凍機能とを有する画像圧縮・解凍手段が設けられ、
該制御手段は、該画像入力手段から入力された画像データを該画像表示手段にモニタ表示させる際に、該画像入力手段から入力された非圧縮画像データを、該画像圧縮・解凍手段によりデータ圧縮およびデータ解凍させて該画像表示手段によりモニタ表示させるように制御可能とする画像情報処理システム。
【請求項７】
前記画像圧縮・解凍手段によるデータ圧縮およびデータ解凍によって、前記画像入力手段から入力された画像サイズが前記画像表示手段の表示サイズに合わせて整形されている請求項６に記載の画像情報処理システム。
【請求項８】
前記画像圧縮・解凍手段は、データ転送速度に応じた圧縮率に設定されている請求項５または６に記載の画像情報処理システム。
【請求項９】
画像データを記憶可能とする記憶手段と、該画像データを表示可能とする画像表示手段と、該画像データを送受信可能とする通信手段と、これらの各手段を制御する制御手段とがデータ転送用バスラインを介して接続され、圧縮画像データをデータ解凍処理する画像解凍手段が該画像表示手段に内蔵されているか、または該画像表示手段に隣接して設けられ、
該制御手段は、該通信手段にて受信された圧縮画像データを該記憶手段に記憶させるように制御可能とし、該記憶手段に記憶させた圧縮画像データを、該データ転送用バスラインを経由して該画像解凍手段に転送して、該画像解凍手段によりデータ解凍させて該画像表示手段により表示再生させるように制御可能とする画像情報処理システム。
【請求項１０】
画像データを記憶可能とする記憶手段と、該画像データを表示可能とする画像表示手段と、該画像データを送受信可能とする通信手段と、これらの各手段を制御する制御手段とがデータ転送用バスラインを介して接続され、圧縮画像データをデータ解凍処理する画像解凍手段が該画像表示手段に内蔵されているか、または該画像表示手段に隣接して設けられ、
該制御手段は、該通信手段にて受信された圧縮画像データを該記憶手段に記憶させるように制御すると同時に、または該記憶手段に記憶させずにそのまま、該データ転送用バスラインを経由して該画像解凍手段に転送して、該画像解凍手段によりデータ解凍させて該画像表示手段により表示再生させるように制御可能とする画像情報処理システム。
【請求項１１】
前記画像圧縮手段は、回路規模またはプログラムサイズが所定より小さい画像圧縮アルゴリズムに基づいて画像圧縮処理が為される請求項１または３に記載の画像情報処理システム。
【請求項１２】
前記画像解凍手段は、回路規模またはプログラムサイズが所定より小さい画像解凍アルゴリズムに基づいて画像解凍処理が為される請求項２、３、９および１０のいずれかに記載の画像情報処理システム。
【請求項１３】
前記画像圧縮・解凍手段は、回路規模またはプログラムサイズが所定より小さい画像圧縮解凍アルゴリズムに基づいて画像解凍処理が為される請求項５または６に記載の画像情報処理システム。
【請求項１４】
前記画像圧縮手段として、方式が異なる画像圧縮アルゴリズムに基づく二つ以上の画像圧縮手段が設けられている請求項１、３および１１のいずれかに記載の画像情報処理システム。
【請求項１５】
前記画像解凍手段として、方式が異なる画像解凍アルゴリズムに基づく二つ以上の画像解凍手段が設けられている請求項２、３、９、１０および１２のいずれかに記載の画像情報処理システム。
【請求項１６】
前記画像圧縮・解凍手段として、方式が異なる画像圧縮解凍アルゴリズムに基づく二つ以上の画像圧縮・解凍手段が設けられている請求項５、６および１３のいずれかに記載の画像情報処理システム。
【請求項１７】
画像データが入力される画像入力手段と、該画像データを記憶可能とする記憶手段と、これらの各手段を制御する制御手段とがデータ転送用バスラインを介して接続され、該画像データをデータ圧縮処理する画像圧縮手段が該画像入力手段に内蔵されているか、または該画像入力手段に隣接して設けられた画像情報処理システムを用いて、
該制御手段により、該画像入力手段から入力された非圧縮画像データを、該画像圧縮手段によりデータ圧縮させ、データ圧縮した圧縮画像データを、該データ転送用バスラインを経由して該記憶手段に転送して記憶させるように制御する画像情報処理方法。
【請求項１８】
画像データを記憶可能とする記憶手段と、該画像データを表示可能とする画像表示手段と、これらの各手段を制御する制御手段とがデータ転送用バスラインを介して接続され、圧縮画像データをデータ解凍処理する画像解凍手段が該画像表示手段に内蔵されているか、または該画像表示手段に隣接して設けられた画像情報処理システムを用いて、
該制御手段により、該記憶手段に記憶した圧縮画像データを、該データ転送用バスラインを経由して該画像解凍手段に転送して、該画像解凍手段によりデータ解凍させて該画像表示手段により表示再生させるように制御する画像情報処理方法。
【請求項１９】
画像データが入力される画像入力手段と、該画像データを記憶可能とする記憶手段と、該画像データを表示可能とする画像表示手段と、これらの各手段を制御する制御手段とがデータ転送用バスラインを介して接続され、該画像データをデータ圧縮処理する画像圧縮手段が該画像入力手段に内蔵されているか、または該画像入力手段に隣接して設けられ、圧縮画像データをデータ解凍処理する画像解凍手段が該画像表示手段に内蔵されているか、または該画像表示手段に隣接して設けられた画像情報処理システムを用いて、
該制御手段により、該画像入力手段から入力された非圧縮画像データを、該画像圧縮手段によりデータ圧縮させ、データ圧縮した圧縮画像データを、該データ転送用バスラインを経由して該記憶手段に転送して記憶させるように制御し、
該記憶手段に記憶した圧縮画像データを、該データ転送用バスラインを経由して該画像解凍手段に転送して、該画像解凍手段によりデータ解凍させて該画像表示手段により表示再生させるように制御する画像情報処理方法。
【請求項２０】
画像データが入力される画像入力手段および、該画像データを表示可能とする画像表示手段を有する画像入力表示装置と、該画像データを記憶可能とする記憶手段と、これらの各手段を制御する制御手段とがデータ転送用バスラインを介して接続され、画像データ圧縮機能と画像データ解凍機能とを有する画像圧縮・解凍手段が該画像入力表示装置に内蔵されているか、または該画像入力・表示装置に隣接して設けられた画像情報処理システムを用いて、
該制御手段により、該画像入力手段から入力された非圧縮画像データを、該画像圧縮・解凍手段によりデータ圧縮させ、データ圧縮した圧縮画像データを、該データ転送用バスラインを経由して該記憶手段に転送して記憶させるように制御し、
該記憶手段に記憶した圧縮画像データを、該データ転送用バスラインを経由して該画像圧縮・解凍手段に転送して、該画像圧縮・解凍手段によりデータ解凍させて該画像表示手段により表示再生させるように制御する画像情報処理方法。
【請求項２１】
画像データが入力される画像入力手段および、該画像データを表示可能とする画像表示手段を有する画像入力表示装置に内蔵されるか、または該画像入力表示装置に隣接するように、画像データ圧縮機能と画像データ解凍機能とを有する画像圧縮・解凍手段が設けられた画像情報処理システムを用いて、
該画像入力手段から入力された画像データを該画像表示手段にモニタ表示させる際に、該制御手段により、該画像入力手段から入力された非圧縮画像データを、該画像圧縮・解凍手段によりデータ圧縮およびデータ解凍させて該画像表示手段によりモニタ表示させるように制御する画像情報処理方法。
【請求項２２】
画像データを記憶可能とする記憶手段と、該画像データを表示可能とする画像表示手段と、該画像データを送受信可能とする通信手段と、これらの各手段を制御する制御手段とがデータ転送用バスラインを介して接続され、圧縮画像データをデータ解凍処理する画像解凍手段が該画像表示手段に内蔵されているか、または該画像表示手段に隣接して設けられた画像情報処理システムを用いて、
該制御手段により、該通信手段にて受信された圧縮画像データを該記憶手段に記憶させるように制御可能とし、該記憶手段に記憶させた圧縮画像データを、該データ転送用バスラインを経由して該画像解凍手段に転送して、該画像解凍手段によりデータ解凍させて該画像表示手段により表示再生させるように制御する画像情報処理方法。
【請求項２３】
画像データを記憶可能とする記憶手段と、該画像データを表示可能とする画像表示手段と、該画像データを送受信可能とする通信手段と、これらの各手段を制御する制御手段とがデータ転送用バスラインを介して接続され、圧縮画像データをデータ解凍処理する画像解凍手段が該画像表示手段に内蔵されているか、または該画像表示手段に隣接して設けられた画像情報処理システムを用いて、
該制御手段により、該通信手段にて受信された圧縮画像データを該記憶手段に記憶させるように制御すると同時に、または該記憶手段に記憶させずにそのまま、該データ転送用バスラインを経由して該画像解凍手段に転送して、該画像解凍手段によりデータ解凍させて該画像表示手段により表示再生させるように制御する画像情報処理方法。
【発明の詳細な説明】
【技術分野】
【０００１】
本発明は、静止画像や動画像の入力、出力（表示）、画像蓄積（記憶）、送受信などを行う画像情報処理システムおよび画像情報処理方法に関し、特に、携帯電話装置、携帯情報端末装置（ＰＤＡ）、デジタルスチルカメラ、モバイル型パーソナルコンピュータなど、主として戸外で使用され低消費電力化を必要とする携帯型電子機器に好適な画像情報処理システムおよび画像情報処理方法に関する。
【背景技術】
【０００２】
従来、この種の画像情報処理システムでは、例えばＣＣＤカメラやＣＣＤイメージセンサなどの画像入力手段から入力された画像データがデータ圧縮されずに、データ転送用バスラインを経由して、ＲＯＭなどの記憶手段に転送される。中央演算書処理装置（ＣＰＵ）やＤＳＰなどの演算処理手段によって画像データの圧縮処理が行われ、圧縮画像データとして記憶手段に保存される。また、データ再生時には、記憶手段から圧縮画像データが読み出され、ＣＰＵまたはＤＳＰなどの演算処理手段によって画像データの解凍が行われ、システムバスラインを経由して液晶表示装置などの画像表示手段に画像データが転送されて表示画面上に表示される。
【０００３】
図１０は、従来の画像情報処理システムの要部構成例を示すブロック図である。
【０００４】
図１０に示すように、画像情報処理システム１００は、画像が入力されるＣＣＤカメラやＣＣＤイメージセンサなどの画像入力手段１０１と、画像が表示される液晶表示装置などの画像表示手段１０２と、画像データが蓄積される記憶手段１０３と、画像データの送受信が行われる通信手段１０４と、この画像情報処理システム１００の各手段を制御するシステム制御手段１０５とがシステムバスライン１０６を介して接続されている。また、画像入力手段１０１と画像表示手段１０２とは、システムバスライン１０６の他に、モニタリング表示を行う際に用いられるデータ転送ライン１０７によっても接続されている。
【０００５】
システム制御手段１０５には、画像データを圧縮・解凍するための画像圧縮・解凍手段１０５ａがハード構成としての回路部または、ソフト構成としてのプログラムが内蔵されている。
【０００６】
システムバスライン１０６は、データが転送されるデータ転送用バスラインおよび制御信号が転送される制御信号用バスラインとして用いられる。
【０００７】
上記構成により、まず、画像が撮影される場合に、例えばＣＣＤカメラやＣＣＤイメージセンサなどの画像入力手段１０１から取り込まれた画像データは、システムバスライン１０６を経由して記憶手段１０３に転送されて蓄積される。
【０００８】
次に、記憶手段１０３に蓄積された画像データは、システム制御手段１０５の制御に基づいて、記憶手段１０３から読み出され、システム制御手段１０５内の画像圧縮・解凍手段１０５ａによりデータ圧縮されて、記憶手段１０３に圧縮画像データとして再度蓄積される。なお、この画像処理システム１００では、画像圧縮・解凍手段１０５ａがシステム制御手段１０５に内蔵されているが、単独でシステムバスライン１０６に接続されている構成もあり得る。いずれの構成においても、システム制御手段１０５の制御に基づいて、記憶手段１０３に蓄積された画像データが画像圧縮手段により圧縮され、圧縮画像データが記憶手段１０３に書き込まれる。
【０００９】
また、画像データが再生される場合には、まず、記憶手段１０３に蓄積された圧縮画像データから、任意の画像データがシステム制御手段１０５により選択されて読み出される。
【００１０】
次に、読み出された画像データは、画像圧縮・解凍手段１０５aによりデータ解凍され、画像表示手段１０２に転送されて表示画面上に表示される。また、この解凍画像データは、記憶手段１０３に一度記憶され、改めて画像表示手段１０２に転送されて表示されることもある。
【００１１】
さらに、画像データが受信される場合について説明する。
【００１２】
通信手段１０４によって受信される画像データは、一般に、圧縮された画像データである。通信手段１０４で受信された圧縮画像データは、記憶手段１０３に蓄積される。圧縮画像データが記憶手段１０３に蓄積された後は、上述した画像再生の場合と同様である。
【００１３】
なお、受信データを再生する他の方法として、ストリーミングと称される手法がある。この手法は、画像データを記憶手段１０３に蓄積させながら、または記憶手段１０３に画像データとして蓄積させずに、画像圧縮・解凍手段１０５aに画像データを転送させて解凍させる。さらに、これを画像表示手段１０２に転送させて表示させる。
【００１４】
また、この画像情報処理システム１００でモニタ表示が行われる場合には、画像入力手段１０１からの画像データを表示サイズに合わせるために、サンプリングなどのリサイズが行われ、モニタリング用のデータ転送ライン１０７を経由して画像表示手段１０２に転送されて表示画面上に表示される。
【００１５】
以上のような機能の実現手法に変形例はあるものの、従来の画像情報処理システムにおいては、画像圧縮・解凍手段１０５aと、画像入力手段１０１および画像表示手段１０２とはシステムバスライン１０６を介して接続されている。
【特許文献１】特開２００２−２３２６８０号公報（図２）
【発明の開示】
【発明が解決しようとする課題】
【００１６】
一般に、非圧縮画像データは、圧縮画像データに比べて、５倍乃至数十倍のデータ量となる。このため、上記従来のシステムバスライン１０６においてデータ転送量が多くなり、システム構成上、ボトルネックとなっている。システムバスライン１０６のデータ転送量を増大させるためには、バスライン幅を大きくするか、またはバスラインのクロック周波数を高めることが一般的であり、このためには、配線数の増大や消費電力の増大を伴う。また、今後の画像情報処理システム１００では、画像サイズの拡大および動画像処理の増大が必須であり、更なるデータ転送量の増大が必要とされる。
【００１７】
したがって、上記従来の画像情報処理システム１００では、システムバスライン１０６におけるデータ転送量の増大に対応して、高性能なシステムバスラインが必要となる。
【００１８】
本発明は、上記従来の問題を解決するもので、システムバスラインのデータ転送量を削減することにより、低いクロック周波数で消費電力の増大を防止したり、より大きな画像サイズや動画像処理の増大にも対応できる画像情報処理システムおよび画像情報処理方法を提供することを目的とする。
【課題を解決するための手段】
【００１９】
本発明の画像情報処理システムは、画像データが入力される画像入力手段と、該画像データを記憶可能とする記憶手段と、これらの各手段を制御する制御手段とがデータ転送用バスラインを介して接続され、該画像データをデータ圧縮処理する画像圧縮手段が該画像入力手段に内蔵されているか、または該画像入力手段に隣接して設けられ、該制御手段は、該画像入力手段から入力された非圧縮画像データを、該画像圧縮手段によりデータ圧縮させ、データ圧縮した圧縮画像データを、該データ転送用バスラインを経由して該記憶手段に転送して記憶させるように制御可能とするものであり、そのことにより上記目的が達成される。
【００２０】
本発明の画像情報処理システムは、画像データを記憶可能とする記憶手段と、該画像データを表示可能とする画像表示手段と、これらの各手段を制御する制御手段とがデータ転送用バスラインを介して接続され、圧縮画像データをデータ解凍処理する画像解凍手段が該画像表示手段に内蔵されているか、または該画像表示手段に隣接して設けられ、該制御手段は、該記憶手段に記憶した圧縮画像データを、該データ転送用バスラインを経由して該画像解凍手段に転送して、該画像解凍手段によりデータ解凍させて該画像表示手段により表示再生させるように制御可能とするものであり、そのことにより上記目的が達成される。
【００２１】
本発明の画像情報処理システムは、画像データが入力される画像入力手段と、該画像データを記憶可能とする記憶手段と、該画像データを表示可能とする画像表示手段と、これらの各手段を制御する制御手段とがデータ転送用バスラインを介して接続され、該画像データをデータ圧縮処理する画像圧縮手段が該画像入力手段に内蔵されているか、または該画像入力手段に隣接して設けられ、圧縮画像データをデータ解凍処理する画像解凍手段が該画像表示手段に内蔵されているか、または該画像表示手段に隣接して設けられ、該制御手段は、該画像入力手段から入力された非圧縮画像データを、該画像圧縮手段によりデータ圧縮させ、データ圧縮した圧縮画像データを、該データ転送用バスラインを経由して該記憶手段に転送して記憶させるように制御可能とし、該記憶手段に記憶した圧縮画像データを、該データ転送用バスラインを経由して該画像解凍手段に転送して、該画像解凍手段によりデータ解凍させて該画像表示手段により表示再生させるように制御可能とするものであり、そのことにより上記目的が達成される。
【００２２】
また、好ましくは、本発明の画像情報処理システムにおける画像圧縮手段は、データ転送速度に応じた圧縮率に設定されている。
【００２３】
本発明の画像情報処理システムは、画像データが入力される画像入力手段および、該画像データを表示可能とする画像表示手段を有する画像入力表示装置と、該画像データを記憶可能とする記憶手段と、これらの各手段を制御する制御手段とがデータ転送用バスラインを介して接続され、画像データ圧縮機能と画像データ解凍機能とを有する画像圧縮・解凍手段が該画像入力表示装置に内蔵されているか、または該画像入力表示装置に隣接して設けられ、該制御手段は、該画像入力手段から入力された非圧縮画像データを、該画像圧縮・解凍手段によりデータ圧縮し、データ圧縮した圧縮画像データを、該データ転送用バスラインを経由して該記憶手段に転送して記憶させるように制御可能とし、該記憶手段に記憶した圧縮画像データを、該データ転送用バスラインを経由して該画像圧縮・解凍手段に転送して、該画像圧縮・解凍手段によりデータ解凍されて該画像表示手段により表示再生させるように制御可能とするものであり、そのことにより上記目的が達成される。
【００２４】
本発明の画像情報処理システムは、画像データが入力される画像入力手段および、該画像データを表示可能とする画像表示手段を有する画像入力表示装置に内蔵されるか、または該画像入力表示装置に隣接するように、画像データ圧縮機能と画像データ解凍機能とを有する画像圧縮・解凍手段が設けられ、該制御手段は、該画像入力手段から入力された画像データを該画像表示手段にモニタ表示させる際に、該画像入力手段から入力された非圧縮画像データを、該画像圧縮・解凍手段によりデータ圧縮およびデータ解凍させて該画像表示手段によりモニタ表示させるように制御可能とするものであり、そのことにより上記目的が達成される。
【００２５】
また、好ましくは、本発明の画像情報処理システムにおいて、画像圧縮・解凍手段によるデータ圧縮およびデータ解凍によって、前記画像入力手段から入力された画像サイズが前記画像表示手段の表示サイズに合わせて整形されている。
【００２６】
さらに、好ましくは、本発明の画像情報処理システムにおける画像圧縮・解凍手段は、データ転送速度に応じた圧縮率に設定されている。
【００２７】
本発明の画像情報処理システムは、画像データを記憶可能とする記憶手段と、該画像データを表示可能とする画像表示手段と、該画像データを送受信可能とする通信手段と、これらの各手段を制御する制御手段とがデータ転送用バスラインを介して接続され、圧縮画像データをデータ解凍処理する画像解凍手段が該画像表示手段に内蔵されているか、または該画像表示手段に隣接して設けられ、該制御手段は、該通信手段にて受信された圧縮画像データを該記憶手段に記憶させるように制御可能とし、該記憶手段に記憶させた圧縮画像データを、該データ転送用バスラインを経由して該画像解凍手段に転送して、該画像解凍手段によりデータ解凍させて該画像表示手段により表示再生させるように制御可能とするものであり、そのことにより上記目的が達成される。
【００２８】
本発明の画像情報処理システムは、画像データを記憶可能とする記憶手段と、該画像データを表示可能とする画像表示手段と、該画像データを送受信可能とする通信手段と、これらの各手段を制御する制御手段とがデータ転送用バスラインを介して接続され、圧縮画像データをデータ解凍処理する画像解凍手段が該画像表示手段に内蔵されているか、または該画像表示手段に隣接して設けられ、該制御手段は、該通信手段にて受信された圧縮画像データを該記憶手段に記憶させるように制御すると同時に、または該記憶手段に記憶させずにそのまま、該データ転送用バスラインを経由して該画像解凍手段に転送して、該画像解凍手段によりデータ解凍させて該画像表示手段により表示再生させるように制御可能とするものであり、そのことにより上記目的が達成される。
【００２９】
また、好ましくは、本発明の画像情報処理システムにおける画像圧縮手段は、回路規模またはプログラムサイズが所定より小さい画像圧縮アルゴリズムに基づいて画像圧縮処理が為される。
【００３０】
さらに、好ましくは、本発明の画像情報処理システムにおける画像解凍手段は、回路規模またはプログラムサイズが所定より小さい画像解凍アルゴリズムに基づいて画像解凍処理が為される。
【００３１】
さらに、好ましくは、本発明の画像情報処理システムにおける画像圧縮・解凍手段は、回路規模またはプログラムサイズが所定より小さい画像圧縮解凍アルゴリズムに基づいて画像解凍処理が為される。上記したプログラムサイズが所定より小さい画像圧縮解凍アルゴリズムとは、その小ささ（プログラムサイズ）が他のモジュールと一体化したときにＬＳＩの開発がしやすいようなサイズである。
【００３２】
さらに、好ましくは、本発明の画像情報処理システムにおける画像圧縮手段として、方式が異なる画像圧縮アルゴリズムに基づく二つ以上の画像圧縮手段が設けられている。
【００３３】
さらに、好ましくは、本発明の画像情報処理システムにおける画像解凍手段として、方式が異なる画像解凍アルゴリズムに基づく二つ以上の画像解凍手段が設けられている。
【００３４】
さらに、好ましくは、本発明の画像情報処理システムにおける画像圧縮・解凍手段として、方式が異なる画像圧縮解凍アルゴリズムに基づく二つ以上の画像圧縮・解凍手段が設けられている。
【００３５】
本発明の画像情報処理方法は、画像データが入力される画像入力手段と、該画像データを記憶可能とする記憶手段と、これらの各手段を制御する制御手段とがデータ転送用バスラインを介して接続され、該画像データをデータ圧縮処理する画像圧縮手段が該画像入力手段に内蔵されているか、または該画像入力手段に隣接して設けられた画像情報処理システムを用いて、該制御手段により、該画像入力手段から入力された非圧縮画像データを、該画像圧縮手段によりデータ圧縮させ、データ圧縮した圧縮画像データを、該データ転送用バスラインを経由して該記憶手段に転送して記憶させるように制御するものであり、そのことにより上記目的が達成される。
【００３６】
本発明の画像情報処理方法は、画像データを記憶可能とする記憶手段と、該画像データを表示可能とする画像表示手段と、これらの各手段を制御する制御手段とがデータ転送用バスラインを介して接続され、圧縮画像データをデータ解凍処理する画像解凍手段が該画像表示手段に内蔵されているか、または該画像表示手段に隣接して設けられた画像情報処理システムを用いて、該制御手段により、該記憶手段に記憶した圧縮画像データを、該データ転送用バスラインを経由して該画像解凍手段に転送して、該画像解凍手段によりデータ解凍させて該画像表示手段により表示再生させるように制御するものであり、そのことにより上記目的が達成される。
【００３７】
本発明の画像情報処理方法は、画像データが入力される画像入力手段と、該画像データを記憶可能とする記憶手段と、該画像データを表示可能とする画像表示手段と、これらの各手段を制御する制御手段とがデータ転送用バスラインを介して接続され、該画像データをデータ圧縮処理する画像圧縮手段が該画像入力手段に内蔵されているか、または該画像入力手段に隣接して設けられ、圧縮画像データをデータ解凍処理する画像解凍手段が該画像表示手段に内蔵されているか、または該画像表示手段に隣接して設けられた画像情報処理システムを用いて、該制御手段により、該画像入力手段から入力された非圧縮画像データを、該画像圧縮手段によりデータ圧縮させ、データ圧縮した圧縮画像データを、該データ転送用バスラインを経由して該記憶手段に転送して記憶させるように制御し、該記憶手段に記憶した圧縮画像データを、該データ転送用バスラインを経由して該画像解凍手段に転送して、該画像解凍手段によりデータ解凍させて該画像表示手段により表示再生させるように制御するものであり、そのことにより上記目的が達成される。
【００３８】
本発明の画像情報処理方法は、画像データが入力される画像入力手段および、該画像データを表示可能とする画像表示手段を有する画像入力表示装置と、該画像データを記憶可能とする記憶手段と、これらの各手段を制御する制御手段とがデータ転送用バスラインを介して接続され、画像データ圧縮機能と画像データ解凍機能とを有する画像圧縮・解凍手段が該画像入力表示装置に内蔵されているか、または該画像入力・表示装置に隣接して設けられた画像情報処理システムを用いて、該制御手段により、該画像入力手段から入力された非圧縮画像データを、該画像圧縮・解凍手段によりデータ圧縮させ、データ圧縮した圧縮画像データを、該データ転送用バスラインを経由して該記憶手段に転送して記憶させるように制御し、該記憶手段に記憶した圧縮画像データを、該データ転送用バスラインを経由して該画像圧縮・解凍手段に転送して、該画像圧縮・解凍手段によりデータ解凍させて該画像表示手段により表示再生させるように制御するものであり、そのことにより上記目的が達成される。
【００３９】
本発明の画像情報処理方法は、画像データが入力される画像入力手段および、該画像データを表示可能とする画像表示手段を有する画像入力表示装置に内蔵されるか、または該画像入力表示装置に隣接するように、画像データ圧縮機能と画像データ解凍機能とを有する画像圧縮・解凍手段が設けられた画像情報処理システムを用いて、該画像入力手段から入力された画像データを該画像表示手段にモニタ表示させる際に、該制御手段により、該画像入力手段から入力された非圧縮画像データを、該画像圧縮・解凍手段によりデータ圧縮およびデータ解凍させて該画像表示手段によりモニタ表示させるように制御するものであり、そのことにより上記目的が達成される。
【００４０】
本発明の画像情報処理方法は、画像データを記憶可能とする記憶手段と、該画像データを表示可能とする画像表示手段と、該画像データを送受信可能とする通信手段と、これらの各手段を制御する制御手段とがデータ転送用バスラインを介して接続され、圧縮画像データをデータ解凍処理する画像解凍手段が該画像表示手段に内蔵されているか、または該画像表示手段に隣接して設けられた画像情報処理システムを用いて、該制御手段により、該通信手段にて受信された圧縮画像データを該記憶手段に記憶させるように制御可能とし、該記憶手段に記憶させた圧縮画像データを、該データ転送用バスラインを経由して該画像解凍手段に転送して、該画像解凍手段によりデータ解凍させて該画像表示手段により表示再生させるように制御するものであり、そのことにより上記目的が達成される。
【００４１】
本発明の画像情報処理方法は、画像データを記憶可能とする記憶手段と、該画像データを表示可能とする画像表示手段と、該画像データを送受信可能とする通信手段と、これらの各手段を制御する制御手段とがデータ転送用バスラインを介して接続され、圧縮画像データをデータ解凍処理する画像解凍手段が該画像表示手段に内蔵されているか、または該画像表示手段に隣接して設けられた画像情報処理システムを用いて、該制御手段により、該通信手段にて受信された圧縮画像データを該記憶手段に記憶させるように制御すると同時に、または該記憶手段に記憶させずにそのまま、該データ転送用バスラインを経由して該画像解凍手段に転送して、該画像解凍手段によりデータ解凍させて該画像表示手段により表示再生させるように制御するものであり、そのことにより上記目的が達成される。
【００４２】
上記構成により、以下に、本発明の作用について説明する。
【００４３】
本発明は、システムバスラインに流れるデータ量に注目したものであり、転送データをデータ圧縮状態で転送させることによって、システムバスラインにおける転送データ量を削減する。これによって、低いクロック周波数で低消費電力化を図ったり消費電力の増大を抑制したり、より大きな画像サイズや動画像処理の増大にも対応することが可能となる。
【００４４】
例えばＣＣＤカメラやＣＣＤイメージセンサなどの画像入力手段から入力された画像データが、データ転送用バスラインを経由して記憶手段などに転送される前に、画像入力手段に内蔵または隣接して設けられた画像圧縮手段によりデータ圧縮する。これによって、データ転送用バスラインから記憶手段への画像データ書き込み時に転送されるデータ量が削減される。
【００４５】
また、画像の表示再生時には、記憶手段に蓄積された圧縮画像圧縮データが、データ解凍されずにデータ転送用バスラインを経由して液晶表示装置などの画像表示手段側に転送され、画像表示手段に内蔵または隣接して設けられた画像解凍手段によりデータ解凍される。これによって、画像表示再生時に転送されるデータ量が削減される。
【００４６】
さらに、画像圧縮手段と画像解凍手段とを統合することにより、両手段に共通する回路を共用して、回路規模の縮小やコスト低減が図られる。
【００４７】
また、データ転送速度に応じて適切な圧縮率を設定することによって、転送データ量の削減や転送クロックを低減させて、消費電力の低減を図ることが可能となる。
【００４８】
また、モニタ表示時に、画像入力手段から入力された非圧縮画像データを、画像圧縮・解凍手段により圧縮および解凍することにより、入力された画像データを画像表示手段の表示サイズに合わせてリサイズすることも可能となる。
【００４９】
また、通信手段にて受信された圧縮画像データは、データ転送用バスラインを経由して画像表示手段側に転送され、画像表示手段に内蔵または隣接して設けられた画像解凍手段によりデータ解凍されて画像表示手段により表示再生される。これによって、画像受信時に、転送されるデータ量が削減される。
【００５０】
回路規模またはプログラムサイズが小さいアルゴリズムに基づいた画像圧縮手段や画像解凍手段を用いることにより、画像圧縮手段や画像解凍手段を画像入力手段や画像表示手段に内蔵させることが容易になる。
【００５１】
また、方式が異なるアルゴリズムに基づく二つ以上の画像圧縮手段や画像解凍手段を設けることにより、異なる方式の画像圧縮データを送受信したり、画像表示したりすることが可能となる。
【発明の効果】
【００５２】
以上により、本発明によれば、転送データをデータ圧縮状態で転送するため、転送データ量を削減できる。この転送データ量の削減に比例して転送時間を短縮化できる。
【００５３】
従来と同じ処理時間で処理する場合に、データ転送用バスラインは、圧縮率の逆数に相当する画像サイズまで処理能力を拡大させることができるため、バスライン幅を広げることなく、データ転送用バスラインのデータ転送量を増やすことができる。よって、より大きな画像サイズや動画像処理の増大にも対応することができる。
【００５４】
また、圧縮率に相当して転送データ量が削減される分、従来と同じ時間で処理する場合に、圧縮率に相当する分だけ、データ転送用バスラインのクロック周波数を低減して動作させることができ、動作周波数に比例する消費電力を低減することができる。
【００５５】
さらに、データ転送用バスラインのクロック周波数を低減することにより、動作タイミングに余裕を設けることができるため、システムの信頼性を向上させることができる。
【発明を実施するための最良の形態】
【００５６】
以下に、本発明の画像処理システムの基本構成およびその実施形態１〜６を、携帯型電子機器として例えば携帯電話装置に適用した場合について、図面を参照しながら説明する。なお、本発明の画像処理システムを、ここでは一般的な携帯電話装置を想定して説明を行うが、これに限定されるものではない。
【００５７】
図１は、本発明の画像情報処理システムの基本構成例を示すブロック図である。
【００５８】
図１に示すように、画像情報処理システム１０は、画像が入力されるＣＣＤカメラやＣＣＤイメージセンサなどの画像入力手段１と、画像が表示される液晶表示装置などの画像表示手段２と、画像データが蓄積される記憶手段３と、画像データの送受信が行われる通信手段４と、この画像情報処理システム１０の各手段を制御する制御手段としてのシステム制御手段５とが、データ転送用バスラインとしてのシステムバスライン６を介して接続されている。
【００５９】
この画像情報処理システム１０と図１０の従来の画像情報処理システム１００との違いは、図１０の画像圧縮・解凍手段１０５ａを分散させて、画像圧縮手段１ａを画像入力手段１に内蔵して設け、画像解凍手段２ａを画像表示手段２に内蔵して設けていることである。
【００６０】
これにより、画像入力手段１に入力された画像データを、システムバスライン６を経由させずに画像圧縮手段１ａに供給し、データ圧縮させることができる。また、画像解凍手段２ａに供給された圧縮画像データを、画像解凍手段２ａによってデータ解凍し、システムバスライン６を経由させずに画像表示手段２に供給して表示画面上に再生表示させることができる。
【００６１】
下記の表１に、上記図１に示す本発明の画像情報処理システム１０と、図１０に示す従来の画像情報処理システム１００との比較として、撮影、再生、通信およびモニタの各処理過程において、システムバスラインを経由して転送される画像データの状態（圧縮データであるか、または非圧縮データであるか）と転送回数を比較して示している。
【００６２】
【表１】
2005150985.tif 000003
上記表１を参照して、画像情報処理システム１０と従来の画像情報処理システム１００との比較を行う。まず、撮影処理について比較する。図１に示す本発明の画像情報処理システム１０において、画像が撮影される場合に、例えばＣＣＤカメラやＣＣＤイメージセンサなどの画像入力手段１から取り込まれた画像データは、画像圧縮手段１ａによってデータ圧縮され、圧縮画像データとしてシステムバスライン６を経由して記憶手段３に転送されて蓄積される。この場合、システムバスライン６を経由して、圧縮画像データが１回転送されることになる。
【００６３】
これに対して、図１０に示す従来の画像情報処理システム１００において、画像が撮影される場合に、画像入力手段１０１から取り込まれた画像データは、圧縮画像データとしてシステムバスライン１０６を経由して記憶手段１０３に転送されて蓄積される。記憶手段１０３に蓄積された画像データは、システム制御手段１０５の制御に基づいて、記憶手段１０３から読み出され、システム制御手段１０５内の画像圧縮・解凍手段１０５ａによりデータ圧縮され、記憶手段１０３に圧縮画像データとして蓄積される。この場合、システムバスライン１０６を経由して、非圧縮画像データが２回と圧縮画像データが１回とで計３回、画像データが転送されることになる。
【００６４】
次に、再生処理について比較する。図１に示す本発明の画像情報処理システム１０において、画像が再生される場合には、記憶手段３に蓄積された圧縮画像データから、任意の画像データがシステム制御手段５により選択されて読み出される。選択された圧縮画像データが、システムバスライン６を介して画像表示手段２に転送され、画像解凍手段２ａにより解凍処理され、画像表示手段２の表示画面上に表示される。この場合、システムバスライン６を経由して、圧縮画像データが１回だけ転送されることになる。
【００６５】
これに対して、図１０に示す従来の画像情報処理システム１００において、画像データが再生される場合には、記憶手段１０３に蓄積された圧縮画像データから、任意の画像データがシステム制御手段１０５により選択されて読み出される。画像圧縮・解凍手段１０５ａにより解凍処理され、画像表示手段１０２に転送されて表示される。また、解凍画像データが記憶手段１０３に一度記憶され、改めて画像表示手段１０２に転送されることもある。この場合、システムバスライン１０６を経由して、非圧縮画像データが２回と圧縮画像データが１回とで計３回、画像データが転送されることになる。
【００６６】
さらに、通信処理について比較する。図１に示す本発明の画像情報処理システム１０において、通信手段４で圧縮画像データが受信された場合、記憶手段３に蓄積される。記憶手段３に蓄積された後は、上述した画像再生処理の場合と同様である。この場合、システムバスライン６を経由して、圧縮画像データが２回転送されることになる。また、ストリーミングと称される手法において、画像データを記憶手段３に蓄積させながら、または記憶手段３に画像データとして蓄積させずに、画像解凍手段２ａに画像データを転送させてデータ解凍させ、画像表示手段２の表示画面上に表示させることもある。この場合、システムバスライン６を経由して、圧縮画像データが１回転送されることになる。
【００６７】
これに対して、図１０に示す従来の画像情報処理システム１００において、通信手段１０４で圧縮画像データが受信された場合、記憶手段１０３に蓄積される。記憶手段１０３に蓄積された後は、上述した画像再生の場合と同様である。この場合、システムバスライン１０６を経由して、非圧縮画像データが２回と圧縮画像データが２回とで計４回、画像データが転送されることになる。また、ストリーミングと称される手法において、画像データを記憶手段１０３に蓄積させながら、または記憶手段１０３に画像データとして蓄積させずに、画像圧縮・解凍手段１０５ａに画像データを転送させてデータ解凍させ、さらに、画像表示手段１０２に転送させて表示させることもある。
【００６８】
さらに、モニタ処理について比較する。図１に示す画像情報処理システム１０において、モニタ表示が行われる場合には、画像入力手段１からの画像データを表示サイズに合わせるために、サンプリングなどのリサイズが行われ、モニタリング用のデータ転送ライン７を介して画像表示手段２に転送されて表示される。この場合、データ転送ライン７を経由して、サンプリング画像データが１回転送されることになる。このリサイズは、画像圧縮手段１ａおよび画像解凍手段２ａによる画像データの圧縮および解凍を利用して行うことができる。この場合、システムバスライン６を経由して、圧縮画像データが１回転送されることになる。
【００６９】
これに対して、図１０に示す従来の画像情報処理システム１００において、モニタ表示を行う場合には、画像入力手段１０１からの画像データを表示サイズに合わせるために、サンプリングなどのリサイズが行われ、モニタリング用のデータ転送ライン１０７を介して画像表示手段１０２に転送されて表示される。この場合、データ転送ライン１０７を経由して、サンプリング画像データが１回転送されることになる。
【００７０】
下記の表２に、画像情報処理システムにおいて通常利用される圧縮方式による圧縮率を示している。
【００７１】
【表２】
2005150985.tif 000004
上記表２において、標準的圧縮率は、ある程度の画質を確保して実用に供される場合の値として、本発明において圧縮／非圧縮の比率として必要に応じて使用する値である。例えば、ＪＰＥＧによって静止画像は圧縮率１／５〜１／３０で圧縮され、ＭＰＥＧ４によって動画像は圧縮率１／１０〜１／５０で圧縮される。
【００７２】
このような圧縮率は、非圧縮データと圧縮データとの転送負荷の比率として考えることが可能である。したがって、システムバスライン６を経由して転送される画像データを圧縮画像データとすることによって、転送負荷を大幅に減らすことができることが分かる。
【００７３】
以下に、本発明の画像情報処理システム１０およびこれを用いた画像情報処理方法の具体的な実施形態１〜６について詳細に説明する。
【００７４】
（実施形態１）
本実施形態１では、入力された非圧縮画像データをデータ圧縮し、データ圧縮した圧縮画像データをシステムバスライン６を経由して記憶手段３に転送して記憶させる場合について説明する。
【００７５】
図２は、本実施形態１の画像情報処理システムの要部構成を示すブロック図である。
【００７６】
図２に示すように、画像情報処理システム１１は、画像が入力されるＣＣＤカメラやＣＣＤイメージセンサなどの画像入力手段１と、画像が表示される液晶表示装置などの画像表示手段２Ａと、画像データが蓄積される記憶手段３と、画像データの送受信が行われる通信手段４と、この画像情報処理システム１１の各手段を制御するシステム制御手段５とが、データ転送用バスラインとしてのシステムバスライン６を介して接続されている。
【００７７】
画像入力手段１に内蔵して画像圧縮手段１ａが設けられており、これにより、画像入力手段１からシステムバスライン６に圧縮された画像データを流すことができるようになっている。
【００７８】
画像情報処理システム１１では、画像入力手段１によって撮影された画像データは、圧縮されてからシステムバスライン６に流れ、記憶手段３に蓄積される。したがって、システムバスライン６のデータ転送量を、上記表２に示すような圧縮率に相当するだけ、大幅に削減することができる。
【００７９】
このように、システムバスライン６に流れるデータ量を削減することにより、同一の動作環境において画像データを圧縮せずにシステムバスライン６に流す従来の画像情報処理システム１００と比較して、データ量の削減に比例して転送時間を短縮化させることができ、消費電力を低減することができる。
【００８０】
従来と同じ処理時間で転送させる場合には、システムバスライン６は、上記表２に示すような圧縮率の逆数に相当する画像サイズまで、処理能力を拡大させることができる。例えば、圧縮率が１／１０であれば、１０倍の画像サイズのデータ転送まで、従来の画像情報処理システム１００と同じ時間で対応することができる。
【００８１】
上記表２に示すような圧縮率に相当してデータ転送量が削減できた分を、従来と同じ処理時間で転送させる場合には、圧縮率に相当する分だけ、システムバスライン６のクロック周波数を低減させて動作させることにより、動作周波数に比例して消費電力を低減させることができる。
【００８２】
システムバスライン６のクロック周波数を低減することにより、タイミング的に動作に余裕を持たせることができるため、画像情報処理システム１１の信頼性を向上させることができる。
【００８３】
なお、ここでは特に説明していないが、図示しない画像解凍手段は、画像表示手段２Ａおよびシステム制御手段５の何れかに設けられていてもよいし、画像情報処理システム１１内に設けられていなくてもよい。画像表示手段２Ａおよび通信手段４については特にここで用いておらず、これらは図２には設けているがなくてもよい。
【００８４】
（実施形態２）
本実施形態２では、記憶している圧縮画像データをシステムバスライン６を経由して画像解凍手段によりデータ解凍して表示再生する場合について説明する。
【００８５】
図３は、本実施形態２の画像情報処理システムの要部構成を示すブロック図である。
【００８６】
図３に示すように、画像情報処理システム１２は、画像が入力されるＣＣＤカメラやＣＣＤイメージセンサなどの画像入力手段１Ａと、画像が表示される液晶表示装置などの画像表示手段２と、画像データが蓄積される記憶手段３と、画像データの送受信が行われる通信手段４と、この画像情報処理システム１２の各手段を制御するシステム制御手段５とが、データ転送用バスラインとしてのシステムバスライン６を介して接続されている。
【００８７】
画像表示手段２に内蔵して画像解凍手段２ａが設けられており、これにより、システムバスライン６を経由してデータ圧縮された画像データを受け取り、画像データを解凍して再生・表示できるようになっている。
【００８８】
画像情報処理システム１２では、記憶手段３に蓄積された圧縮画像データは、データが解凍されずにデータ圧縮されたままシステムバスライン６に流れて、画像解凍手段２ａによってデータ解凍され、画像表示手段２によって再生・表示される。したがって、システムバスライン６のデータ転送量を大幅に削減させることができる。
【００８９】
このように、システムバスライン６に流れるデータ量を削減することにより、実施例１で説明したように、転送時間を短縮化させることができ、消費電力を低減させることができる。また、従来と同じ処理時間で転送させる場合には、システムバスライン１０６の処理能力を拡大させることができ、消費電力を低減させることができる。さらに、システムバスライン６のクロック周波数を低減できて、画像情報処理システム１２の信頼性を向上させることができる。
【００９０】
なお、画像表示手段２による表示サイズは、記憶手段３に蓄積された画像サイズよりも小さい場合が多いので、画像入力時ほど大きな差は出ないが、表示用のサムネール画像を有する場合には、データ転送量が圧縮率に比例することは変わらないため、データ転送量の削減効果は大きくなる。
【００９１】
また、ここでは特に説明していないが、図示しない画像圧縮手段は、画像入力手段１Ａおよびシステム制御手段５の何れかに設けられていてもよいし、画像情報処理システム１２内に設けられていなくてもよい。画像入力手段１Ａおよび通信手段４については特にここでは用いておらず、これらは図３には設けているがなくてもよい。
【００９２】
（実施形態３）
本実施形態３では、入力された非圧縮画像データをデータ圧縮し、データ圧縮した圧縮画像データをシステムバスライン６を経由して記憶手段３に転送して記憶させ、かつ、記憶した圧縮画像データをシステムバスライン６を経由して画像解凍手段によりデータ解凍して表示再生する場合について説明する。
【００９３】
図４は、本実施形態３の画像情報処理システムの要部構成を示すブロック図である。
【００９４】
図４に示すように、画像情報処理システム１３は、画像が入力されるＣＣＤカメラやＣＣＤイメージセンサなどの画像入力手段１と、画像が表示される液晶表示装置などの画像表示手段２と、画像データが蓄積される記憶手段３と、この画像情報処理システム１３の各手段を制御するシステム制御手段５とが、データ転送用バスラインとしてのシステムバスライン６を介して接続されている。
【００９５】
上記実施形態１の場合と同様に、画像入力手段１に内蔵して画像圧縮手段１ａが設けられている。また、上記実施形態２の場合と同様に、画像表示手段２に内蔵して画像解凍手段２ａが設けられている。
【００９６】
画像情報処理システム１３では、上記実施形態１と同様に、画像入力手段１によって撮影された画像データは、データが圧縮されてからシステムバスライン６に流れ、記憶手段３に蓄積される。したがって、システムバスライン６のデータ転送量を、上記表２に示すような圧縮率に相当する分だけ、大幅に削減することができる。
【００９７】
また、画像情報処理システム１３では、上記実施形態２と同様に、記憶手段３に蓄積された圧縮画像データは、データが解凍されずにデータ圧縮されたままシステムバスライン６に流れて、画像解凍手段２ａによって解凍処理され、画像表示手段２によって再生・表示される。したがって、システムバスライン６のデータ転送量を削減させることができる。
【００９８】
このように、システムバスライン６に流れるデータ量を削減することにより、上記実施形態１で説明したように、転送時間を短縮化させることができ、消費電力を低減させることができる。また、従来と同じ処理時間で転送させる場合には、システムバスライン６の処理能力を拡大させることができ、消費電力を低減させることができる。さらに、システムバスライン６のクロック周波数を低減させて、画像情報処理システム１３の信頼性を向上させることができる。
【００９９】
なお、監視カメラなどの画像情報処理システム（画像表示処理システム）は、上記実施形態１のように画像入力手段１に画像圧縮手段１ａが内蔵されているか、または画像入力手段１に隣接して画像圧縮手段１ａが設けられていれば、実現させることができる。また、インターネットビューアなどの画像情報処理システム（画像表示処理システム）は、上記実施形態２のように画像表示手段２に画像解凍手段２ａが内蔵されているか、または画像表示手段２に隣接して画像解凍手段２ａが設けられていれば、実現させることができる。さらに、本実施形態３のように、画像入力手段１に内蔵または隣接して画像圧縮手段１ａを設け、画像表示手段２に内蔵または隣接して画像解凍手段２ａを設けることによって、カメラ付き携帯電話装置などの画像情報処理システム（画像入出力処理システム）を実現することができる。
【０１００】
また、通信手段４については特にここでは用いておらず、これは図４には設けていないがあってもよい。
【０１０１】
（実施形態４）
本実施形態４では、画像データ圧縮機能と画像データ解凍機能とを有する画像圧縮・解凍手段を備えた画像情報処理システムについて説明する。
【０１０２】
図５は、本実施形態４の画像情報処理システムの要部構成を示すブロック図である。
【０１０３】
図５に示すように、画像情報処理システム１４は、画像が入力されるＣＣＤカメラやＣＣＤイメージセンサなどの画像入力手段１Ｂおよび、画像が表示される液晶表示装置などの画像表示手段２Ｂを有する画像入力表示装置８と、画像データが蓄積される記憶手段３と、画像データの送受信が行われる通信手段４と、この画像情報処理システム１４を制御するシステム制御手段５とが、データ転送用バスラインとしてのシステムバスライン６を介して接続されている。
【０１０４】
画像圧縮手段および画像解凍手段の各機能が統合された画像圧縮・解凍手段８ａが、画像入力手段１および画像表示手段２に隣接して、画像入力表示装置８に内蔵して設けられている。
【０１０５】
このように、画像圧縮・解凍手段８ａでは、画像圧縮手段と画像解凍手段との機能を統合させることにより、両手段に共通する回路を共用化することができるので、回路規模の縮小化と、それに伴うコスト低減が可能である。例えば、システムバスライン６との接続やフレームメモリなどの統合一体化などが可能である。なお、テレビジョン電話装置などのように、画像入力および画像表示の双方が同時に行われる全二重システムにおいては、上記実施形態３のように、画像圧縮手段および画像解凍手段を独立して設けた構成が適している場合があることは明らかである。
【０１０６】
本実施形態４の画像情報処理システム１４では、画像データがシステムバスライン６上を転送されるときに、必ず圧縮画像データとされるため、システムバスライン６の転送量を大幅に削減することが可能となる。
【０１０７】
このように、システムバスライン６に流れるデータ量を削減することにより、上記実施形態１で説明したように、転送時間を短縮化させることができ、消費電力を低減させることができる。また、従来と同じ処理時間で転送させる場合には、システムバスライン６の処理能力を拡大させることができ、消費電力を低減させることができる。また、システムバスライン６のクロック周波数を低減させて、画像情報処理システムの信頼性を向上させることができる。さらに、システム全体の効率を考えたクロック周波数を設定する上で、設計の自由度も増大することになる。
【０１０８】
ここで、本実施形態４の画像情報処理システム１４において、モニタ表示を行う際の処理について、図６を用いて説明する。
【０１０９】
従来の画像情報処理システム１００では、図１０に示すように、画像入力手段１０１と画像表示手段１０２との間にモニタリング用のデータ転送ライン１０７が設けられている。この場合、画像入力手段１０１から入力された画像データが、サンプリングにより画像表示手段１０２の表示サイズに合わせて整形（リサイズ）されて、モニタ表示の効率化が図られている。
【０１１０】
これに対して、本実施形態４の画像情報処理システム１４では、画像入力手段１Ｂと画像表示手段２Ｂに隣接する画像圧縮・解凍手段８を利用して、入力画像サイズと表示画像サイズとに適合させた圧縮率を設定することにより、画像入力手段１Ｂから入力された画像データが、矢印Ｂに示すように、画像圧縮・解凍手段８によって画像表示手段２Ｂの表示サイズに合わせて整形（リサイズ）され、画像表示手段２Ｂに供給される。これにより、画像入力手段１Ｂから画像表示手段２Ｂへの転送レート（クロック周波数）を一定にすることができ、同じバスラインの仕様で異なる入力または出力（表示）の画像サイズを取り扱う画像情報理システムへの対応が可能となる。
【０１１１】
下記の表３に、このような異なる画像サイズを取り扱う場合の一例について示している。
【０１１２】
【表３】
2005150985.tif 000005
上記表３に示すように、例えば入力画像サイズが１０万画素であり、表示サイズがサブＱＣＩＦである場合にはデータ量の比が１／１であるため、画像データは圧縮されず、圧縮率は１／１に設定される。また、入力画像サイズが１０万画素であり、表示サイズがＱＣＩＦである場合にはデータ量の比が２であるため、画像データの圧縮率は１／２に設定される。また、入力画像サイズが３５万画素であり、表示サイズがＱＣＩＦである場合にはデータ量の比が２であるため、画像データの圧縮率は１／２に設定される。また、入力画像サイズが３５万画素であり、表示サイズがＣＩＦ／ＱＶＧＡである場合にはデータ量の比が８であるため、画像データの圧縮率は１／８に設定される。また、入力画像サイズが１００万画素であり、表示サイズがＣＩＦ／ＱＶＧＡである場合にはデータ量の比が８であるため、画像データの圧縮率は１／８に設定される。
【０１１３】
上記表３に示すような圧縮率に設定することにより、画像入力手段１Ｂから入力された画像データを、画像表示手段２Ｂの表示サイズに合わせてリサイズすることができる。
【０１１４】
なお、ここでは一定の転送レートで転送させる場合について説明したが、一定の画像表示サイズで転送させる場合には、圧縮比に応じてバスラインのクロック周波数を低減させて、消費電力の低減を図ることができることは明らかである。
【０１１５】
（実施形態５）
本実施形態５では、通信手段４により画像データの送受信を行う画像情報処理システムについて説明する。
【０１１６】
図７は、本実施形態５の画像情報処理システムの要部構成を示すブロック図である。
【０１１７】
図７に示すように、画像情報処理システム１５は、画像が入力されるＣＣＤカメラやＣＣＤイメージセンサなどの画像入力手段１と、画像が表示される液晶表示装置などの画像表示手段２と、画像データが蓄積される記憶手段３と、画像データの送受信が行われる通信手段４と、この画像情報処理システム１５の各手段を制御するシステム制御手段５とが、データ転送用バスラインとしてのシステムバスライン６を介して接続されている。
【０１１８】
上記実施形態３と同様に、画像圧縮手段１ａが画像入力手段１に内蔵して設けられ、画像解凍手段２ａが画像表示手段２に内蔵して設けられている。
【０１１９】
通信手段４によって送受信されるデータは、通信コストを低減するため、一般に圧縮データが用いられる。受信された圧縮データは、記憶手段３に蓄積された後、再生などは、上記実施形態１〜４の場合と同様に、システムバスライン６上で全て圧縮データとして転送される。したがって、上記実施形態１〜４で説明したものと同様な効果が得られる。
【０１２０】
以下では、特に、画像データがストリーミングと称される手法で受信された場合の処理について説明する。ストリーミングは、画像データを受信した場合に、いわゆる垂れ流し状態で画像表示手段２に表示させるものである。
【０１２１】
画像情報処理システム１５では、通信手段４で受信された圧縮画像データを、直接、画像表示手段２に転送させることにより、画像表示手段２に内蔵して設けられた画解凍手段２ａにより解凍させ、画像表示手段２に再生表示させることが可能である。
【０１２２】
これに対して、図１０に示す従来の画像情報処理システム１００では、通信手段１０４で受信された圧縮データは、システム制御手段１０５内の画像圧縮・解凍手段１０５ａに転送されてデータ解凍され、解凍された大容量の画像データがシステムバスライン１０６を経由して画像表示手段１０２へ転送される。これによって、画像情報処理システム１５に比べて、システムバスライン６のデータ転送量が増大し、転送効率が悪くなる。これにより、例えば、再生フレーム数が少ないか、または小さい画像サイズしか取り扱えない画像情報処理システムになることは明らかである。
【０１２３】
上記実施形態１〜５で説明した画像情報処理システム１１〜１５において、回路規模またはプログラムサイズが小さい画像圧縮・解凍アルゴリズムを使用することにより、既存回路と統合化させることが可能となる。これにより、例えば、既存の画像入力手段に画像圧縮手段を隣接または内蔵させることが可能となる。また、既存の画像表示手段に画像解凍手段を隣接または内蔵させることも可能である。
【０１２４】
このような回路規模が小さい画像圧縮アルゴリズムの例として、例えば、（株）テクノマセマティカルのＤＭＮＡアルゴリズムが挙げられる。ＭＰＥＧ４互換の動画像を圧縮させる場合、ＤＭＮＡアルゴリズムによれば、ＤＣＴ演算等の計算量を大幅に削減することができるため、従来のＭＰＥＧ４による画像圧縮方式に比べて、１／３程度の回路規模で同じ性能を実現することができる。
【０１２５】
従来、例えばＭＰＥＧ４のように回路規模が大きいため、一つの画像圧縮ＬＳＩとして開発されることが多かった。しかしながら、このような小回路規模の画像圧縮技術を用いることにより、画像圧縮手段１ａを、画像入力手段１に統合ＬＳＩとして一体化させることが可能となる。また、画像表示についても、画像表示手段２と画像解凍手段２ａとを容易に一体化させることができる。特に、画像圧縮手段１ａおよび画像解凍手段２ａを、図５に示すように、画像圧縮・解凍手段８ａとして一体化して、画像入力手段１および画像表示手段２に内蔵または隣接させるためには、このような回路規模またはプログラムサイズが小さい画像圧縮・解凍アルゴリズムを使用することが非常に有効である。
【０１２６】
（実施形態６）
本実施形態６では、回路規模またはプログラムサイズが小さい画像圧縮・解凍アルゴリズムを用いて、方式が異なる画像圧縮解凍アルゴリズムに基づく二つ以上の解凍手段が設けられている画像情報処理システムについて説明する。
【０１２７】
図８は、本実施形態６の画像情報処理システムの要部構成を示すブロック図である。
【０１２８】
図８に示すように、画像情報処理システム１６は、画像が入力されるＣＣＤカメラやＣＣＤイメージセンサなどの画像入力手段１０１と、画像が表示される液晶表示装置などの画像表示手段２Ｃと、画像データが蓄積される記憶手段３と、画像データの送受信が行われる通信手段４と、この画像情報処理システム１６の各手段を制御するシステム制御手段５とが、データ転送用バスラインとしてのシステムバスライン６を介して接続されている。
【０１２９】
上記実施形態１の場合と同様に、画像圧縮手段１ａが画像入力手段１に内蔵されて設けられている。また、異なる方式のアルゴリズムに基づいた二つの画像解凍手段Ｎ，Ｍが組み込まれた画像解凍手段２ｂが画像表示手段２に内蔵されて設けられている。
【０１３０】
上記ＤＭＮＡアルゴリズム以外にも、小さな回路規模で画像圧縮・解凍を行うことができるアルゴリズムとして、例えば（株）オフィスノアのＳＭＳＰアルゴリズムを利用したＮＡＮＣＹ画像圧縮技術が、携帯電話装置の動画像処理などに多用されている。
【０１３１】
このようなＤＭＮＡアルゴリズムやＳＭＳＰアルゴリズムをそれぞれ画像解凍手段２ｂに利用することにより、例えば画像圧縮手段１ａおよび画像解凍手段ＮにてＤＭＮＡに基づく画像圧縮・解凍を行いながら、通信手段４から受信されたＳＭＳＰアルゴリズムで圧縮された画像を画像解凍手段Ｍでデータ解凍して画像表示手段２で再生表示させることが可能となる。
【０１３２】
本実施形態６の画像情報処理システム１６の他の例として、図９に示すように、異なる方式のアルゴリズムに基づいた画像圧縮解凍手段Ｐ，Ｑが組み込まれた画像圧縮・解凍手段９ａを、画像入力手段１Ｄおよび画像表示手段２Ｄに隣接して、画像入力表示装置９に内蔵して設けて、画像情報処理システム１７を構成することもできる。
【０１３３】
この画像情報処理システム１７では、二つの異なる方式の画像圧縮データを受信して表示させることができる上に、送信画像の圧縮方式についても選択することができるため、送信先の画像圧縮手段に適した圧縮方法により画像データを送信することが可能である。また、この画像情報処理システム１７は、圧縮方式を変換するコンバータとしての機能も実現できることは明らかである。
【０１３４】
以上により、上記実施形態１〜６によれば、画像入力手段１と、画像表示手段２と、記憶手段３と、通信手段４と、システム制御手段５とがシステムバスライン６を介して接続され、画像入力手段１から入力された非圧縮画像データは、画像入力手段１に内蔵または隣接して設けられた画像圧縮手段１ａで圧縮されてから、システムバスライン６を経由して記憶手段３に転送される。また、記憶手段３に蓄積された圧縮画像データは、システムバスライン６を経由して画像解凍手段２ａに転送されて、画像解凍手段２ａによりデータ解凍されて画像表示手段２により表示再生される。これにより、低いクロック周波数で消費電力の増大を防止したり、より大きな画像サイズや動画像処理の増大にも対応することができる。
【０１３５】
なお、画像圧縮手段や画像解凍手段が、回路規模またはプログラムサイズが所定より小さいアルゴリズムに基づいているため、画像表示手段や画像入力手段に容易に内蔵させることができるが、このサイズが所定より小さいについて、以下に説明する。サイズが所定より小さいとは、単にプログラムサイズ、回路規模の小ささが他のモジュールと一体にしたＬＳＩの開発がしやすいことである。ちなみに、従来のＭＰＥＧ４では50万ゲートレベル、ＤＭＮＡアルゴリズムによるＭＰＥＧ４は前述しているように、約1/3の回路規模である。大きなＬＳＩを作れば従来のＭＰＥＧ４でも一体化はできる。
【０１３６】
なお、上記図８において、方式が異なる画像解凍アルゴリズムに基づく二つの画像解凍手段Ｎ，Ｍを設けたが、この画像解凍手段Ｎ，Ｍの他に、これらとは方式が異なる画像解凍アルゴリズムに基づく画像解凍手段Ｌがあってもよく、方式が異なる画像解凍アルゴリズムに基づく二つ以上の画像解凍手段を設けることができる。また、上記図８の画像圧縮手段として、方式が異なる画像圧縮アルゴリズムに基づく二つ以上の画像圧縮手段を設けてもよい。
【０１３７】
なお、以上のように、本発明の好ましい基本構成およびその実施形態１〜６を用いて本発明を例示してきたが、本発明は、この基本構成およびその実施形態１〜６に限定して解釈されるべきものではない。本発明は、特許請求の範囲によってのみその範囲が解釈されるべきであることが理解される。当業者は、本発明の具体的な好ましい基本構成およびその実施形態１〜６の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１３８】
本発明は、画像入力手段、画像表示手段、画像データを蓄積する記憶手段を備えた画像情報処理システム、さらには画像データを送受信する通信手段を備えた画像情報処理システムの分野において、転送データ量の削減に比例して転送時間を短縮化させることができて、消費電力の低減を図ることができる。また、従来と同じ処理時間で処理する場合に、バスライン幅を広げることなく、圧縮率に相当する分だけ、データ転送用バスラインのデータ転送量を増やすことができる。また、従来と同じ時間で処理する場合に、圧縮率に相当する分だけ、データ転送用バスラインのクロック周波数を低減して動作させることができ、動作周波数に比例する消費電力を低減することができる。また、データ転送用バスラインのクロック周波数を低減することにより、動作タイミングに余裕を設けることができるため、システムの信頼性を向上させることができる。
【０１３９】
本発明は、携帯電話機、携帯情報端末装置（ＰＤＡ）、デジタルスチルカメラ、モバイル型のパーソナルコンピュータなど、戸外で使用するために低消費電力化が必要とされる電子機器に好適に用いることができ、これらの低消費電力化および信頼性の向上に大きく貢献することができる。
【図面の簡単な説明】
【０１４０】
【図１】本発明の画像情報処理システムの基本構成を示すブロック図である。
【図２】本実施形態１の画像情報処理システムの要部構成を示すブロック図である。
【図３】本実施形態２の画像情報処理システムの要部構成を示すブロック図である。
【図４】本実施形態３の画像情報処理システムの要部構成を示すブロック図である。
【図５】本実施形態４の画像情報処理システムの要部構成を示すブロック図である。
【図６】図５の画像情報処理システムにおいてモニタ表示を行う際の処理を説明するのブロック図である。
【図７】本実施形態５の画像情報処理システムの要部構成を示すブロック図である。
【図８】本実施形態６の画像情報処理システムの要部構成を示すブロック図である。
【図９】図８の画像情報処理システムの他の例を示すブロック図である。
【図１０】従来の画像情報処理システムの要部構成例を示すブロック図である。
【符号の説明】
【０１４１】
１，１Ａ，１Ｂ，１Ｄ  画像入力手段
１ａ  画像圧縮手段
２，２Ａ，２Ｂ，２Ｃ，２Ｄ  画像表示手段
２ａ，２ｂ  画像解凍手段
３  記憶手段
４  通信手段
５  システム制御手段
６  システムバスライン
７  モニタリング用のデータ転送バスライン
８  画像入力表示装置
８ａ  画像圧縮・解凍手段
１０〜１７  画像情報処理システム
【図１】
2005150985.tif 000006
【図２】
2005150985.tif 000007
【図３】
2005150985.tif 000008
【図４】
2005150985.tif 000009
【図５】
2005150985.tif 000010
【図６】
2005150985.tif 000011
【図７】
2005150985.tif 000012
【図８】
2005150985.tif 000013
【図９】
2005150985.tif 000014
【図１０】
2005150985.tif 000015